(57)【要約】【課題】安定した測定が行える生体情報取得装置及び測定治具を提供する。【解決手段】生体情報取得装置１は指５が設置される本体部３と、指５を本体部３に押圧する押圧部２１と、本体部３と押圧部２１とを接続する第１接続部１３及び第２接続部１４と、を備え、第１接続部１３及び第２接続部１４は本体部３と第１軸１２にて回転可能に接続され、押圧部２１と第２軸１５にて回転可能に接続されている。【選択図】図１
2016096956.tif 000002
【特許請求の範囲】
【請求項１】
被測定物が設置される本体部と、
前記被測定物を前記本体部に押圧する押圧部と、
前記本体部と前記押圧部とを接続する接続部と、を備え、
前記接続部は前記本体部と第１軸にて回転可能に接続され、前記押圧部と第２軸にて回転可能に接続されていることを特徴とする生体情報取得装置。
【請求項２】
請求項１に記載の生体情報取得装置であって、
前記押圧部の重さは２００ｇ以上５００ｇ以下であることを特徴とする生体情報取得装置。
【請求項３】
請求項１または２に記載の生体情報取得装置であって、
前記接続部は前記第１軸の方向に離れて複数設置されることを特徴とする生体情報取得装置。
【請求項４】
請求項１〜３のいずれか一項に記載の生体情報取得装置であって、
前記被測定物が前記本体部と接する第１設置面はへこんでおり、
前記被測定物が前記押圧部と接する第２設置面もへこんでいることを特徴とする生体情報取得装置。
【請求項５】
請求項１〜４のいずれか一項に記載の生体情報取得装置であって、
前記接続部及び前記本体部は前記被測定物の長手方向に延在することを特徴とする生体情報取得装置。
【請求項６】
請求項５に記載の生体情報取得装置であって、
前記第１軸及び前記第２軸は前記長手方向と直交する方向に延在することを特徴とする生体情報取得装置。
【請求項７】
請求項１〜６のいずれか一項に記載の生体情報取得装置であって、
前記本体部は光吸収性の色素を含む樹脂を有することを特徴とする生体情報取得装置。
【請求項８】
被測定物が設置される本体部と、
前記被測定物を前記本体部に押圧する押圧部と、
前記本体部と前記押圧部とを接続する接続部と、を備え、
前記接続部は前記本体部と第１軸にて回転可能に接続され、前記押圧部と第２軸にて回転可能に接続されていることを特徴とする測定治具。
【発明の詳細な説明】
【技術分野】
【０００１】
本発明は、生体情報取得装置および測定治具に関するものである。
【背景技術】
【０００２】
近赤外光や赤外光を用いて人体の血糖値、酸素濃度、血圧脈拍を測定する方法が検討されている。腕に巻くベルトに光センサーが設置された測定装置がある。測定装置本体は測定プローブを備え、測定プローブにはベルトが設置されている。ベルトを人体の腕に巻いて測定プローブを固定する。そして、ベルトの腕側の面に光センサーが設置される。腕に巻くベルトの長さを調整し、光センサーを肌に密着させて測定装置が用いられる。
【０００３】
光センサーが肌から離れると光センサーが出力する信号のノイズ成分が多くなる。測定プローブでは光センサーを腕に押し付けて用いられる。測定プローブには光センサー、圧力センサー及び測定プローブを腕に押圧する押圧装置が設置されている。そして、圧力センサーは測定プローブを押し付ける圧力を検出し押圧装置が適正な圧力で測定プローブを腕に押圧する。
【０００４】
測定装置は検出した赤外光を分光してスペクトルデータを得る。生体の皮膚には毛細血管があり、皮膚の表面に照射する赤外光の一部が毛細血管に吸収される。特定の波長において毛細血管に吸収される赤外光と血液成分とには相関がある。従って、検出された特定の波長における光強度と被検体である腕の血液成分濃度との間には相関がある。これにより、血中グルコース濃度を検出することができる。
【０００５】
光センサーを用いて指先で血液の情報を検出する装置が特許文献１に開示されている。指先は毛細血管が多いので、光センサーを用いた検査に適している。それによると、測定装置は測定台を備えている。測定台は一対の平板部材を備えている。平板部材は向かい合うように配置され、クリップ状の構造体が平板部材の端部を連結する。そして、指の背側と腹側をそれぞれ平板部材に面して挟むようにして指が測定台に設置される。
【先行技術文献】
【特許文献】
【０００６】
【特許文献１】特開２０１４−４２５７９号公報
【発明の概要】
【発明が解決しようとする課題】
【０００７】
特許文献１の測定台は平板部材がある軸を中心にして回転し指を挟みこんでいる。このとき、指の腹側を平板部材に合わせて指を配置するとき、指の背側では平板部材の一カ所で指を押圧する形態となる。このとき、指は長手方向を軸にして容易に回転することができる。これにより、光センサーが検出する信号が変動するので検出信号が不安定な信号になる。そこで、安定した測定が行える生体情報取得装置及び測定治具が求められていた。
【課題を解決するための手段】
【０００８】
本発明は、上述の課題を解決するためになされたものであり、以下の形態または適用例として実現することが可能である。
【０００９】
［適用例１］
本適用例にかかる生体情報取得装置であって、被測定物が設置される本体部と、前記被測定物を前記本体部に押圧する押圧部と、前記本体部と前記押圧部とを接続する接続部と、を備え、前記接続部は前記本体部と第１軸にて回転可能に接続され、前記押圧部と第２軸にて回転可能に接続されていることを特徴とする。
【００１０】
本適用例によれば、本体部に被測定物が設置される。そして、押圧部が被測定物を本体部に押圧する。本体部と押圧部とを接続部が接続する。接続部は第１軸及び第２軸を有している。そして、第１軸にて接続部と本体部とが回転可能に接続されている。さらに、第２軸にて押圧部と接続部とが回転可能に接続されている。
【００１１】
接続部には第１軸と第２軸とがあり、第１軸及び第２軸は回転可能になっている。従って、本体部と押圧部との間隔を変更することができる。そして、押圧部が第２軸にて回転するので、本体部と押圧部とがなす角度を変更することができる。従って、本体部に設置された被測定物における押圧部側の面に沿って押圧部を配置することができる。その結果、被測定物は本体部に沿って配置され、且つ、押圧部に沿って配置される為、生体情報取得装置は安定して被測定物を保持し測定することができる。
【００１２】
［適用例２］
上記適用例にかかる生体情報取得装置において、前記押圧部の重さは２００ｇ以上５００ｇ以下であることを特徴とする。
【００１３】
本適用例によれば、押圧部の重さは２００ｇ以上５００ｇ以下になっている。押圧部の重さは２００ｇより軽いとき被測定物の動きにより押圧部が持ち上げられるので安定して被測定物を保持することができない。また、押圧部の重さが５００ｇを超えるとき被測定物の血管から血液が押し出されるので血液の情報を検出し難くなる。押圧部の重さが２００ｇ以上５００ｇ以下のとき、被測定物を安定して保持し血液の情報を検出することができる。
【００１４】
［適用例３］
上記適用例にかかる生体情報取得装置において、前記接続部は前記第１軸の方向に離れて複数設置されることを特徴とする。
【００１５】
本適用例によれば、接続部は第１軸の方向に離れて複数設置されている。これにより、複数の接続部は第１軸及び第２軸で回転し、第１軸と第２軸とがなす角度が変動することを抑制することができる。従って、本体部と押圧部とは第１軸及び第２軸を回転中心にして安定して回転させることができる。
【００１６】
［適用例４］
上記適用例にかかる生体情報取得装置において、前記被測定物が前記本体部と接する第１設置面はへこんでおり、前記被測定物が前記押圧部と接する第２設置面もへこんでいることを特徴とする。
【００１７】
本適用例によれば、第１設置面及び第２設置面はへこんでいる。被測定物が棒状のとき被測定物は第１設置面と接触する面積を広くできる。さらに、被測定物は第２設置面と接触する面積を広くできる。従って、被測定物は本体部及び押圧部と接触して囲まれる為、生体情報取得装置は被測定物を安定して保持することができる。
【００１８】
［適用例５］
上記適用例にかかる生体情報取得装置において、前記接続部及び前記本体部は前記被測定物の長手方向に延在することを特徴とする。
【００１９】
本適用例によれば、接続部及び本体部は被測定物の長手方向に延在している。従って、接続部は本体部と同じ程度に長くすることができる。接続部が本体部の長手方向と直交する方向に延在して配置されるとき、接続部は本適用例の形態に比べて短くなる。接続部が短いとき、押圧部を本体部から離す距離が短くなる。そして、被測定物を本体部に設置し難くなる。このときに比べて本適用例では接続部が長いので、本体部から押圧部を離す操作を容易に行うことができ、被測定物を本体部に設置し易くすることができる。
【００２０】
［適用例６］
上記適用例にかかる生体情報取得装置において、前記第１軸及び前記第２軸は前記長手方向と直交する方向に延在することを特徴とする。
【００２１】
本適用例によれば、第１軸及び第２軸は長手方向と直交する方向に延在する。従って、押圧部は長手方向と直交する方向を回転軸にして傾斜することができる。その結果、被測定物が長手方向に凹凸があるときにも押圧部は複数の場所で被測定物と接触することができる。
【００２２】
［適用例７］
上記適用例にかかる生体情報取得装置において、前記本体部は光吸収性の色素を含む樹脂を有することを特徴とする。
【００２３】
本適用例によれば、本体部は光吸収性の色素を含む樹脂を有している。そして、光を用いて生体情報を検出するとき、本体部は光を吸収する。これにより、本体部から反射した光を検出してノイズ成分が増えることを抑制することができる。
【００２４】
［適用例８］
本適用例にかかる測定治具であって、被測定物が設置される本体部と、前記被測定物を前記本体部に押圧する押圧部と、前記本体部と前記押圧部とを接続する接続部と、を備え、前記接続部は前記本体部と第１軸にて回転可能に接続され、前記押圧部と第２軸にて回転可能に接続されていることを特徴とする。
【００２５】
本適用例によれば、本体部に被測定物が設置される。そして、押圧部が被測定物を本体部に押圧する。本体部と押圧部とを接続部が接続する。接続部は第１軸及び第２軸を有している。そして、第１軸にて接続部と本体部とが回転可能に接続されている。さらに、第２軸にて押圧部と接続部とが回転可能に接続されている。
【００２６】
接続部には第１軸と第２軸とがあり、第１軸及び第２軸は回転可能になっている。従って、本体部と押圧部との間隔を変更することができる。そして、押圧部が第２軸にて回転するので、本体部と押圧部とがなす角度は変更することができる。従って、本体部に設置された被測定物における押圧部側の面に沿って押圧部を配置することができる。その結果、被測定物は本体部に沿って配置され、且つ、押圧部に沿って配置される為、測定治具は安定して被測定物を保持することができる。
【図面の簡単な説明】
【００２７】
【図１】生体情報取得装置の構成を示す概略斜視図。
【図２】（ａ）は、測定台の構造を示す模式平面図、（ｂ）は、測定台の構造を示す模式側面図。
【図３】（ａ）は、押圧板の形状を示す概略斜視図、（ｂ）は、本体部の形状を示す概略斜視図。
【図４】生体情報を取得する方法を説明するための模式図。
【図５】生体情報を取得する方法を説明するための模式図。
【発明を実施するための形態】
【００２８】
本実施形態では、測定台に指を設置して計測する生体情報取得装置と、この生体情報取得装置を用いて非侵襲的に血糖値を測定する生体計測方法との特徴的な例について、図に従って説明する。以下、実施形態について図面に従って説明する。尚、各図面における各部材は、各図面上で認識可能な程度の大きさとするため、各部材毎に縮尺を異ならせて図示している。
【００２９】
本実施形態にかかわる生体情報取得装置について図１〜図３に従って説明する。図１は、生体情報取得装置の構成を示す概略斜視図である。図１に示すように、生体情報取得装置１は測定治具としての測定台２を備えている。測定台２は本体部３を備えている。本体部３の形状は略長方形の板状であり、本体部３の長手方向をＸ方向とする。本体部３の厚み方向をＺ方向とし、Ｘ方向及びＺ方向と直交する方向をＹ方向とする。本体部３のＺ方向側の面には第１設置面としての第１溝部４が設置されている。第１溝部４はＸ方向に延在する凹みになっている。第１溝部４に沿って人体の被測定物としての指５が設置される。指５の長手方向６は第１溝部４が延在するＸ方向に沿って設置される。従って、本体部３の長手方向と指５の長手方向６は同一方向になっている。その結果、指５を第１溝部４の形状に合うように設置することができる。
【００３０】
第１溝部４の−Ｘ方向側には第１孔７及び第２孔８が設置されている。第１孔７には第１光ファイバー９が設置されている。第２孔８には第２光ファイバー１０が設置されている。本体部３は光吸収性の色素を含む樹脂により形成されている。そして、第１光ファイバー９から指５に向けて光を射出し、指５から第２光ファイバー１０に入力される光を用いて生体情報を検出する。本体部３は光を吸収する。これにより、本体部３から反射した光が第２光ファイバー１０に入ってノイズ成分が増えることを抑制することができる。
【００３１】
第１溝部４の−Ｘ方向側には本体部３をＹ方向に貫通する貫通孔１１が設置され、貫通孔１１には第１軸１２が挿入されている。第１軸１２は貫通孔１１にて回転することができる。第１軸１２の両端は本体部３から突出する。−Ｙ方向側の第１軸１２には接続部としての第１接続部１３が設置され、＋Ｙ方向側の第１軸１２には接続部としての第２接続部１４が設置されている。第１接続部１３及び第２接続部１４は棒状であり、第１軸１２を回転中心にして回転する。
【００３２】
第１接続部１３及び第２接続部１４には第１軸１２と反対側に第２軸１５が設置されている。第１軸１２、第１接続部１３、第２接続部１４及び第２軸１５は結合され一体となっている。第２軸１５は押圧板１６と回転可能に接続されている。押圧板１６の＋Ｘ方向側には押圧板１６をＹ方向に貫通する貫通孔１７が設置され、貫通孔１７には第２軸１５が設置されている。第２軸１５は貫通孔１７にて回転する。従って、押圧板１６は第２軸１５を回転中心にして回転する。
【００３３】
押圧板１６において＋Ｚ方向側の面には錘１８が設置されている。錘１８の材質は特に限定されないが比重の大きい素材が好ましく、ステンレスやタングステン等の金属を用いることができる。本実施形態では、例えば、押圧板１６にステンレスを用いており、錘１８にタングステンを用いている。押圧板１６及び錘１８等により押圧部２１が構成されている。
【００３４】
本体部３と押圧部２１とは第１接続部１３及び第２接続部１４により連結され、第１接続部１３及び第２接続部１４は互いにＹ方向に離れて設置されている。そして、第１軸１２と第２軸１５とを接続する接続部は第１軸１２の方向に離れて複数設置されている。これにより、第１接続部１３及び第２接続部１４は第１軸１２で回転し、第１軸１２と第２軸１５とがなす角度が変動することを抑制することができる。従って、本体部３と押圧部２１とは第１軸１２及び第２軸１５を回転中心にして安定して回転させることができる。この為、本体部３と押圧部２１とが互いに捻じれにくくなっている。尚、第１接続部１３が捻じれ難い強度を有するときには第２接続部１４を省略しても良い。部品数を減らせるので生産性良く測定台２を製造することができる。
【００３５】
第１光ファイバー９は光源部２２と接続されている。光源部２２にはハロゲン光源が内蔵されている。第２光ファイバー１０は制御装置２３内の分光光度計部２４に接続されている。分光光度計部２４は分光器及びフォトダイオードを備えている。分光器は回折格子、凹面鏡、スリットを組み合わせて構成されている。第２光ファイバー１０により導かれた光は回折格子に照射される。光は回折格子を通過することにより波長に応じた角度で進行方向が曲げられる。つまり、波長に応じて分光される。分光した光は凹面鏡を照射する。凹面鏡にて反射した光はスリットを照射する。凹面鏡にはモーターが設置され、モーターは凹面鏡を回転させる。そして、所定の波長の光がスリットを通過するように凹面鏡の回転角度が調整される。スリットを通過した光はフォトダイオードにより電気信号に変換される。これにより、分光光度計部２４は所定の波長の光強度を測定することができる。分光光度計部２４はＡＤ（アナログ／デジタル）変換回路を備え、光スペクトルの測定結果をデジタルデータにして出力する。
【００３６】
制御装置２３には他にもインターフェイス部２５、記憶部２６及び演算部２７を備えている。インターフェイス部２５には光源部２２の他にも入力部２８及び表示部２９が接続されている。入力部２８はキーボード、マウスポインター等であり、操作者が制御装置２３に指示情報を入力する装置である。表示部２９は液晶ディスプレイ等の表示装置であり、生体情報取得装置１が計測した結果や計測状況を操作者に知らせる装置である。
【００３７】
記憶部２６には光源部２２が出力する光スペクトルのデータ、分光光度計部２４が検出した光の強度と指５内を流動する血液の血糖値との関係を示すデータ等が記憶されている。
【００３８】
演算部２７はＣＰＵ等により構成され光源部２２の制御を行う。他にも、演算部２７は分光光度計部２４が検出する光スペクトルのデータと記憶部２６に記憶されたデータを用いて血糖値の演算を行う。分光光度計部２４、記憶部２６及び演算部２７により分析部が構成されている。
【００３９】
次に、生体情報取得装置１の動作を説明する。まず、測定台２に指５を設置する。そして、押圧部２１を指５に重ねる。次に、操作者が入力部２８を用いて測定開始の指示を入力する。演算部２７は光源部２２を駆動させて第１光ファイバー９に光を出力させる。光は第１光ファイバー９を通過して測定台２から指５に光を照射する。
【００４０】
指５に照射された光は指５の内部の浅い場所で乱反射する。指５には毛細血管が多い。そして、光の一部は毛細血管の血液に吸収される。このとき、所定の波長の光が血液に吸収される光の強度は血液の成分濃度と相関がある。
【００４１】
指５の内部で乱反射した光の一部は第２光ファイバー１０を通過し分光光度計部２４に出力される。分光光度計部２４は光を分光して光スペクトルのデータを演算部２７に出力する。演算部２７は光スペクトルのデータと記憶部２６に記憶されている光源部２２の光スペクトルデータとを比較する。そして、演算部２７は血液により吸収された波長と強度を推定する。そして、演算部２７は所定の波長における光吸収量と血中成分との関係を示す表を用いて血中成分を推定する。本実施形態では例えば、波長が９２０ｎｍ及び９８８ｎｍの場所の光強度から血中のグルコース濃度を推定する。次に、演算部２７は検出した光スペクトルデータと血液中のグルコース濃度とを表示部２９に表示する。
【００４２】
図２（ａ）は、測定台の構造を示す模式平面図であり、図２（ｂ）は、測定台の構造を示す模式側面図である。図２は測定中の状態を示す図である。図２に示すように第１溝部４に沿って指５が設置され、指５上に押圧部２１が設置される。第１接続部１３及び第２接続部１４が第１軸１２を回転中心にして回転し、押圧板１６が第２軸１５を回転中心にして回転する。これにより、押圧部２１はＺ方向に移動可能になっている。そして、指５には押圧部２１の荷重が加えられる。
【００４３】
第１接続部１３、第２接続部１４及び本体部３は指５の長手方向６に延在している。従って、第１接続部１３及び第２接続部１４は本体部３と同じ程度に長くすることができる。第１接続部１３及び第２接続部１４が本体部３の長手方向と直交する方向に延在して配置されるとき、第１接続部１３及び第２接続部１４は本実施形態の形態に比べて短くなる。第１接続部１３及び第２接続部１４が短いとき、押圧部２１を本体部３から離す距離が短くなる。そして、指５を本体部３に設置し難くなる。このときに比べて本実施形態では第１接続部１３及び第２接続部１４が長いので、本体部３から押圧部２１を離す操作を容易に行うことができ、指５を本体部３に設置し易くすることができる。
【００４４】
押圧部２１の重さは５０ｇ以上が好ましく、２００ｇ以上５００ｇ以下がより好ましい。押圧部２１の重さは５０ｇより軽いとき指５の動きにより押圧部２１が持ち上げられるので安定して指５を保持することができず、加えて脈動が観測されるために、グルコース濃度を測定しようとする場合に安定的に測定を行うのが困難となる。換言すれば、押圧部２１の重さが５０ｇ以上であれば、子供や女性などでも押圧部２１が持ち上げられずに安定的に指を保持でき、同時に脈動の影響を抑制する事ができる。更に，押圧部２１の重さが２００ｇ以上であれば、子供や女性の他に力の強い男性でも押圧部２１が持ち上げられずに安定的に指を保持でき、同時に脈動の影響をより確実に抑制する事ができる。即ち、誰でも安定的にグルコース濃度を計測する事ができる。また、押圧部２１の重さが５００ｇを超えるとき指５の血管から血液が押し出されるので血液の情報を検出し難くなる。押圧部２１の重さが２００ｇ以上５００ｇ以下のとき、指５を安定して保持し血液の情報を検出することができる。さらに、押圧部２１の重さは３００ｇ以上４００ｇ以下が好ましい。このとき、さらに、指５を安定して保持し血液の情報を検出することができる。さらに、押圧部２１の重さは３３０ｇ以上３７０ｇ以下が好ましい。このとき、さらに、指５を安定して保持し血液の情報を検出することができる。
【００４５】
図３（ａ）は、押圧板の形状を示す概略斜視図であり、図３（ｂ）は、本体部の形状を示す概略斜視図である。図３に示すように、押圧板１６には第２設置面としての第２溝部３０が設置されている。第２溝部３０は指５の長手方向６に延在する溝である。第２溝部３０は指５と接触するように配置される。第１溝部４及び第２溝部３０は長手方向６に長くへこんだ形状となっている。指５は棒状であり、指５は第１溝部４及び第２溝部３０と接触する面積を広くできる。従って、指５は本体部３及び押圧部２１と広い面積で接触して囲まれる為、測定台２は指５を安定して保持することができる。
【００４６】
次に、測定台２を用いて生体情報を取得する方法について詳しく説明する。図４及び図５は、生体情報を取得する方法を説明するための模式図である。図４（ａ）に示すように、操作者は押圧部２１を本体部３の＋Ｚ方向側から−Ｘ方向側に移動する。これにより、本体部３の＋Ｚ方向側は空間が広がるので本体部３に指５を設置し易くなる。次に、第１溝部４に指５を設置する。
【００４７】
図４（ｂ）に示すように、次に、操作者は押圧部２１を＋Ｘ方向に移動する。本体部３と押圧板１６とは第１接続部１３及び第２接続部１４により連結されているので押圧部２１は第１軸１２を回転中心にして回転する。このため、押圧部２１は本体部３の＋Ｚ方向で本体部３と離れた場所を通過する。
【００４８】
図５（ａ）に示すように、操作者は引き続き押圧部２１を本体部３の＋Ｚ方向側から＋Ｘ方向側に移動する。第１接続部１３及び第２接続部１４には第１軸１２と第２軸１５とがあり、第１軸１２及び第２軸１５は回転可能になっている。従って、本体部３と押圧部２１との間隔を変更することができる。押圧部２１は第１軸１２を回転中心にして回転し、押圧部２１は指５の上に載置される。そして、押圧部２１は第２軸１５を回転中心にして回転するので、本体部３と押圧部２１とがなす角度は変更することができる。従って、本体部３に設置された指５における押圧部２１側の面に沿って押圧部２１を配置することができる。その結果、指５は本体部３に沿って配置され、且つ、押圧部２１に沿って配置される為、測定台２は安定して指５を保持することができる。
【００４９】
図５（ｂ）に示すように第１光ファイバー９から光３１が投光される。投光された光３１は指５を照射する。光３１は指５の表面に近い場所の乱反射領域５ａで乱反射する。指５には毛細血管が多く存在する。指５を照射した光のうち特定の波長の光は血管に吸収される。指５で吸収される光３１の波長は血管内の血液の成分に対応して変化する。そして、指５で反射した光の一部は第２光ファイバー１０を照射し、第２光ファイバー１０は指５で乱反射した光３１を受光する。第２光ファイバー１０が受光する光３１は血液成分の情報を含んだ光３１となっている。
【００５０】
図５（ｂ）に示される様に、第１光ファイバー９が挿入されている第１孔７は、第１溝部４の前方の傾斜した湾曲面に対してほぼ垂直に開口されている。同様に、第２光ファイバー１０が挿入されている第２孔８は、第１溝部４の底面の湾曲面に対してほぼ垂直に開口されている。計測対象物（例えば指５）は、第１溝部４の前方の傾斜した湾曲面や第１溝部４の底面の湾曲面に接する様に配置されると、計測に用いられる光３１は計測対象物に垂直に入射され、乱反射領域５ａで反射された後に効率良く第２光ファイバー１０に入る事ができる。又、第１孔７と第２孔８とは、０°以上６０°以下の鋭角をなして居るので、正反射光が第２光ファイバー１０に導入される事なく、感度よくグルコース濃度などの生体情報を取得する事が出来る。
【００５１】
第２光ファイバー１０内を通過する光３１は制御装置２３に到達する。制御装置２３では分光光度計部２４が光３１を分光する。そして、制御装置２３は光３１の周波数分布から血液中に含まれる血液成分の１つである血糖値を解析する。
【００５２】
上述したように、本実施形態によれば、以下の効果を有する。
（１）本実施形態によれば、第１接続部１３及び第２接続部１４には第１軸１２と第２軸１５とが設置され、第１軸１２及び第２軸１５は回転可能になっている。従って、本体部３と押圧部２１との間隔を変更することができる。そして、押圧部２１が第２軸１５にて回転するので、本体部３と押圧部２１とがなす角度は変更することができる。従って、本体部３に設置された指５における押圧部２１側の面に沿って押圧部２１を配置することができる。その結果、指５は本体部３に沿って配置され、且つ、押圧部２１に沿って配置される為、測定台２は安定して指５を保持し測定することができる。
【００５３】
（２）本実施形態によれば、押圧部２１の重さが２００ｇ以上５００ｇ以下になっている。押圧部２１の重さは２００ｇより軽いとき指５の動きにより押圧部２１が持ち上げられるので安定して指５を保持することができない。また、押圧部２１の重さが５００ｇを超えるとき指５の血管から血液が押し出されるので血液の情報を検出することができない。押圧部２１の重さが２００ｇ以上５００ｇ以下のとき、指５を安定して保持し血液の情報を検出することができる。
【００５４】
（３）本実施形態によれば、第１接続部１３及び第２接続部１４は第１軸１２の軸方向であるＹ方向に離れて設置されている。これにより、複数の接続部が第１軸１２で回転し、第１軸１２と第２軸１５とがなす角度が変動することを抑制することができる。従って、本体部３と押圧部２１とは第１軸１２及び第２軸１５を回転中心にして安定して回転させることができる。
【００５５】
（４）本実施形態によれば、第１溝部４及び第２溝部３０はへこんでいる。これにより、第１溝部４及び第２溝部３０は指５と接触する面積を広くできる。従って、指５は本体部３及び押圧部２１と接触して囲まれる為、測定台２は指５を安定して保持することができる。
【００５６】
（５）本実施形態によれば、第１接続部１３及び第２接続部１４及び本体部３は指５の長手方向６に延在している。従って、第１接続部１３及び第２接続部１４は本体部３と同じ程度に長くすることができる。第１接続部１３及び第２接続部１４が長いので、本体部３から押圧部２１を離すことができ、指５を本体部３に設置し易くすることができる。
【００５７】
（６）本実施形態によれば、本体部３は光吸収性の色素を含む樹脂を有している。そして、光３１を用いて生体情報を検出するとき、本体部３は光３１を吸収する。これにより、本体部３から反射した光３１を検出してノイズ成分が増えることを抑制することができる。
【００５８】
尚、本実施形態は上述した実施形態に限定されるものではなく、本発明の技術的思想内で当分野において通常の知識を有する者により種々の変更や改良を加えることも可能である。変形例を以下に述べる。
（変形例１）
前記実施形態では、第１光ファイバー９を用いて光３１を指５に導光した。光源部２２から指５に光３１を出力しても良い。第１光ファイバー９を削減できるので生産性良く生体情報取得装置１を製造することができる。
【００５９】
（変形例２）
前記実施形態では、第２光ファイバー１０を用いて光３１を分光光度計部２４に導光した。第２孔８に分光光度計部２４を設置しても良い。第２光ファイバー１０を削減できるので生産性良く生体情報取得装置１を製造することができる。
【００６０】
（変形例３）
前記実施形態では、貫通孔１１に対して第１軸１２が回転した。また、貫通孔１７に対して第２軸１５が回転した。これらの回転部には蝶番を用いても良い。また、回転部の抵抗を減らすためにベアリング等の軸受を設置しても良い。操作性良く押圧部２１を移動させることができる。
【００６１】
（変形例４）
前記実施形態では、押圧部２１が指５に載置されるとき、押圧部２１が指５に当たるときの衝撃が指５に加わる可能性がある。この衝撃を緩和するために本体部３、第１接続部１３、第２接続部１４及び押圧板１６のいずれかにダンパー等の衝撃吸収部を設置してもよい。指５に加わる衝撃を減少させることができる。
【００６２】
（変形例５）
前記実施形態では、指５は手の指５であるが、足の指で測定してもよい。また、指５に限らず腕や足のふくらはぎを適用しても良い。測定する生体は人体に限らず、動物にも適用することができる。
【符号の説明】
【００６３】
１…生体情報取得装置、２…測定治具としての測定台、３…本体部、４…第１設置面としての第１溝部、５…被測定物としての指、６…長手方向、１２…第１軸、１３…接続部としての第１接続部、１４…接続部としての第２接続部、１５…第２軸、２１…押圧部、３０…第２設置面としての第２溝部。
【図１】
2016096956.tif 000003
【図２】
2016096956.tif 000004
【図３】
2016096956.tif 000005
【図４】
2016096956.tif 000006
【図５】
2016096956.tif 000007